【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
ジョブ処理装置により処理されるジョブに係る情報を報知手段により報知可能にしたジョブ処理システムであって、
前記装置の電源をＯＦＦ状態にするための操作がオペレータによりなされた際に、前記装置にて処理中及び／又は処理待ち状態のジョブが存在する場合に、
当該ジョブの存在を当該ジョブに関する情報がオペレータにより確認できる状態で前記報知手段により報知させる制御手段を有することを特徴とするジョブ処理システム。
【請求項２】
ジョブ処理装置により処理されるジョブに係る情報を報知手段により報知可能にしたジョブ処理システムであって、
前記装置の電源をＯＦＦ状態にするための操作がオペレータによりなされた場合に、
前記装置の電源をＯＦＦ状態にしても記憶手段から処理に必要なデータが消去されないジョブに関する情報を報知させずに、前記装置にて処理中及び／又は処理待ち状態のジョブの存在を当該ジョブに関する情報がオペレータにより確認できる状態で前記報知手段により報知させる制御手段を有することを特徴とするジョブ処理システム。
【請求項３】
ジョブ処理装置により処理されるジョブに係る情報を報知手段により報知可能にしたジョブ処理システムであって、
前記装置の電源をＯＦＦ状態にするための操作がオペレータによりなされた際に、前記装置の電源がＯＦＦ状態になると記憶手段から処理に必要なデータが消去されるジョブが前記装置にて処理中及び／又は処理待ち状態の場合に、
当該ジョブが存在することを当該ジョブに関する情報がオペレータにより確認できる状態で前記報知手段により報知させる制御手段を有することを特徴とするジョブ処理システム。
【請求項４】
ジョブ処理装置により処理されるジョブに係る情報を報知手段により報知可能にしたジョブ処理システムであって、
前記装置の電源をＯＦＦ状態にするための操作がオペレータによりなされた際に、前記装置の電源がＯＦＦ状態になると記憶手段から処理に必要なデータが消去される第１タイプのジョブが前記装置にて処理中及び／又は処理待ち状態の場合に、
前記装置の電源がＯＦＦ状態になっても前記記憶手段にて処理に必要なデータが保持される第２タイプのジョブに関する情報を報知させずに、前記第１タイプのジョブの存在を当該ジョブに関する情報がオペレータにより確認できる状態で前記報知手段により報知させる制御手段を有することを特徴とするジョブ処理システム。
【請求項５】
ジョブ処理装置により処理されるジョブに係る情報を報知手段により報知可能にしたジョブ処理システムであって、
前記装置の電源をＯＦＦ状態にするための操作がオペレータによりなされた際に、前記電源の再投入後に前記装置により処理が実行できないジョブが前記装置にて処理中及び／又は処理待ち状態の場合に、
当該ジョブの存在を当該ジョブに関する情報がオペレータにより確認できる状態で前記報知手段により報知させる制御手段を有することを特徴とするジョブ処理システム。
【請求項６】
ジョブ処理装置により処理されるジョブに係る情報を報知手段により報知可能にしたジョブ処理システムであって、
前記装置の電源をＯＦＦ状態にするための操作がオペレータによりなされた際に、前記電源の再投入後に前記装置により処理が実行できない第１タイプのジョブが前記装置にて処理中及び／又は処理待ち状態の場合に、
前記電源の再投入後に前記装置により処理可能な第２タイプのジョブに関する情報を報知させずに前記第１タイプのジョブの存在を当該ジョブに関する情報がオペレータにより確認できる状態で前記報知手段により報知させる制御手段を有することを特徴とするジョブ処理システム。
【請求項７】
請求項１乃至６の何れか１項に記載のジョブ処理システムであって、
前記ジョブ処理装置は、
スキャナ手段からのデータを記憶手段を介してプリント手段に供給することによりプリントするジョブ、前記記憶手段のデータを他装置に送信するジョブ、他装置からのデータを前記記憶手段を介して前記プリント手段に供給することによりプリントするジョブの何れかを処理することを特徴とするジョブ処理システム。
【請求項８】
請求項７記載のジョブ処理システムであって、
前記ジョブ処理装置は、
前記プリント手段によるプリントを実行させるために認証処理を要するセキュアプリントジョブを処理可能であり、
前記制御手段は、
前記セキュアプリントジョブのデータが前記記憶手段に記憶されている場合において、前記操作がオペレータによりなされた場合に、前記セキュアプリントジョブの存在を前記報知手段により報知させることを特徴とするジョブ処理システム。
【請求項９】
請求項８記載のジョブ処理システムであって、
前記制御手段は、
前記セキュアプリントジョブの存在を当該セキュアプリントジョブに関する詳細情報がオペレータにより確認できない状態で前記報知手段により報知させることを特徴とするジョブ処理システム。
【請求項１０】
請求項１乃至９の何れか１項に記載のジョブ処理システムであって、
前記制御手段は、
前記電源がＯＦＦ状態になる前に、前記報知手段により前記存在を報知させることを特徴とするジョブ処理システム。
【請求項１１】
請求項１乃至１０の何れか１項に記載のジョブ処理システムであって、
前記制御手段は、
前記報知手段により前記存在を報知させた後に、前記ジョブ処理装置によりシャットダウン処理を実行させる指示をオペレータにより操作手段を介して入力可能にし、
前記シャットダウン処理は、
前記装置にて処理中及び／又は処理待ち状態のジョブをキャンセルする処理、および、前記装置にて処理中及び／又は処理待ち状態のジョブのデータを記憶手段から消去する処理の何れかを含むことを特徴とするジョブ処理システム。
【請求項１２】
請求項１１記載のジョブ処理システムであって、
前記制御手段は、
前記指示が前記操作手段を介して入力された場合、前記装置にて処理中及び／又は処理待ち状態のジョブの処理が完了していなくても、前記シャットダウン処理を前記装置により開始させることを特徴とするジョブ処理システム。
【請求項１３】
請求項１１又は１２に記載のジョブ処理システムであって、
前記制御手段は、
前記指示が前記操作手段を介して入力されなければ、前記シャットダウン処理を実行させずに、前記装置にて処理中及び／又は処理待ち状態のジョブの処理を前記装置により継続させることを特徴とするジョブ処理システム。
【請求項１４】
請求項１１乃至１３の何れか１項に記載のジョブ処理システムであって、
前記制御手段は、
前記操作がオペレータによりなされた時点から前記指示が入力されるまでの期間中に、前記装置にて処理中及び／又は処理待ち状態のジョブの処理を前記装置により継続させることを特徴とするジョブ処理システム。
【請求項１５】
請求項１乃至１４の何れか１項に記載のジョブ処理システムであって、
前記制御手段は、
前記存在を前記報知手段により報知させている最中でも、前記装置にて処理中及び／又は処理待ち状態のジョブの処理を前記装置により継続させることを特徴とするジョブ処理システム。
【請求項１６】
請求項１乃至１５の何れか１項に記載のジョブ処理システムであって
前記ジョブに関する情報は、受付番号を特定する情報、処理に利用する機能を特定する情報、ユーザ名を特定する情報、処理状況を特定する情報の何れかを含むことを特徴とするジョブ処理システム。
【請求項１７】
請求項１乃至１６の何れか１項に記載のジョブ処理システムであって、
前記報知手段は、前記存在を表示または音声出力することを特徴とするジョブ処理システム。
【請求項１８】
ジョブ処理装置により処理されるジョブに係る情報を報知手段により報知させる制御方法であって、
前記装置の電源をＯＦＦ状態にするための操作がオペレータによりなされた際に、前記装置にて処理中及び／又は処理待ち状態のジョブが存在する場合に、
当該ジョブの存在を当該ジョブに関する情報がオペレータにより確認できる状態で前記報知手段により報知させることを特徴とする制御方法。
【請求項１９】
ジョブ処理装置により処理されるジョブに係る情報を報知手段により報知させる制御方法であって、
前記装置の電源をＯＦＦ状態にするための操作がオペレータによりなされた場合に、
前記装置の電源をＯＦＦ状態にしても記憶手段から処理に必要なデータが消去されないジョブに関する情報を報知させずに、前記装置にて処理中及び／又は処理待ち状態のジョブの存在を当該ジョブに関する情報がオペレータにより確認できる状態で前記報知手段により報知させることを特徴とする制御方法。
【請求項２０】
ジョブ処理装置により処理されるジョブに係る情報を報知手段により報知させる制御方法であって、
前記装置の電源をＯＦＦ状態にするための操作がオペレータによりなされた際に、前記装置の電源がＯＦＦ状態になると記憶手段から処理に必要なデータが消去されるジョブが前記装置にて処理中及び／又は処理待ち状態の場合に、
当該ジョブが存在することを当該ジョブに関する情報がオペレータにより確認できる状態で前記報知手段により報知させることを特徴とする制御方法。
【請求項２１】
ジョブ処理装置により処理されるジョブに係る情報を報知手段により報知させる制御方法であって、
前記装置の電源をＯＦＦ状態にするための操作がオペレータによりなされた際に、前記装置の電源がＯＦＦ状態になると記憶手段から処理に必要なデータが消去される第１タイプのジョブが前記装置にて処理中及び／又は処理待ち状態の場合に、
前記装置の電源がＯＦＦ状態になっても前記記憶手段にて処理に必要なデータが保持される第２タイプのジョブに関する情報を報知させずに、前記第１タイプのジョブの存在を当該ジョブに関する情報がオペレータにより確認できる状態で前記報知手段により報知させることを特徴とする制御方法。
【請求項２２】
ジョブ処理装置により処理されるジョブに係る情報を報知手段により報知させる制御方法であって、
前記装置の電源をＯＦＦ状態にするための操作がオペレータによりなされた際に、前記電源の再投入後に前記装置により処理が実行できないジョブが前記装置にて処理中及び／又は処理待ち状態の場合に、
当該ジョブの存在を当該ジョブに関する情報がオペレータにより確認できる状態で前記報知手段により報知させることを特徴とする制御方法。
【請求項２３】
ジョブ処理装置により処理されるジョブに係る情報を報知手段により報知させる制御方法であって、
前記装置の電源をＯＦＦ状態にするための操作がオペレータによりなされた際に、前記電源の再投入後に前記装置により処理が実行できない第１タイプのジョブが前記装置にて処理中及び／又は処理待ち状態の場合に、
前記電源の再投入後に前記装置により処理可能な第２タイプのジョブに関する情報を報知させずに前記第１タイプのジョブの存在を当該ジョブに関する情報がオペレータにより確認できる状態で前記報知手段により報知させることを特徴とする制御方法。
【請求項２４】
請求項１８乃至２３の何れか１項に記載の制御方法をコンピュータに実行させるためのプログラムを記憶したことを特徴とするコンピュータ読取り可能な記憶媒体。
【請求項２５】
請求項１８乃至２３の何れか１項に記載の制御方法をコンピュータに実行させるためのプログラム。
【手続補正２】
【補正対象書類名】明細書
【補正対象項目名】発明の名称
【補正方法】変更
【補正の内容】
【発明の名称】ジョブ処理システム及びその制御方法
【手続補正３】
【補正対象書類名】明細書
【補正対象項目名】０００１
【補正方法】変更
【補正の内容】
【０００１】
本発明は、ジョブ処理システム及びその制御方法に関するものである。
【手続補正４】
【補正対象書類名】明細書
【補正対象項目名】００１３
【補正方法】変更
【補正の内容】
【００１３】
本発明は、例えば、ジョブ処理装置により処理されるジョブに係る情報を報知手段により報知可能にしたジョブ処理システムとして実現できる。ジョブ処理システムは、装置の電源をＯＦＦ状態にするための操作がオペレータによりなされた際に、装置にて処理中及び／又は処理待ち状態のジョブが存在する場合に、当該ジョブの存在を当該ジョブに関する情報がオペレータにより確認できる状態で報知手段により報知させる制御手段を有することを特徴とする。
【手続補正５】
【補正対象書類名】明細書
【補正対象項目名】００１４
【補正方法】変更
【補正の内容】
【００１４】
また、ジョブ処理システムは、装置の電源をＯＦＦ状態にするための操作がオペレータによりなされた場合に、装置の電源をＯＦＦ状態にしても記憶手段から処理に必要なデータが消去されないジョブに関する情報を報知させずに、装置にて処理中及び／又は処理待ち状態のジョブの存在を当該ジョブに関する情報がオペレータにより確認できる状態で報知手段により報知させる制御手段を有することを特徴とする。
【手続補正６】
【補正対象書類名】明細書
【補正対象項目名】００１５
【補正方法】変更
【補正の内容】
【００１５】
また、ジョブ処理システムは、装置の電源をＯＦＦ状態にするための操作がオペレータによりなされた際に、装置の電源がＯＦＦ状態になると記憶手段から処理に必要なデータが消去されるジョブが装置にて処理中及び／又は処理待ち状態の場合に、当該ジョブが存在することを当該ジョブに関する情報がオペレータにより確認できる状態で報知手段により報知させる制御手段を有することを特徴とする。
【手続補正７】
【補正対象書類名】明細書
【補正対象項目名】００１６
【補正方法】変更
【補正の内容】
【００１６】
また、ジョブ処理システムは、装置の電源をＯＦＦ状態にするための操作がオペレータによりなされた際に、装置の電源がＯＦＦ状態になると記憶手段から処理に必要なデータが消去される第１タイプのジョブが装置にて処理中及び／又は処理待ち状態の場合に、装置の電源がＯＦＦ状態になっても記憶手段にて処理に必要なデータが保持される第２タイプのジョブに関する情報を報知させずに、第１タイプのジョブの存在を当該ジョブに関する情報がオペレータにより確認できる状態で報知手段により報知させる制御手段を有することを特徴とする。
【手続補正８】
【補正対象書類名】明細書
【補正対象項目名】００１７
【補正方法】変更
【補正の内容】
【００１７】
また、ジョブ処理システムは、装置の電源をＯＦＦ状態にするための操作がオペレータによりなされた際に、電源の再投入後に装置により処理が実行できないジョブが装置にて処理中及び／又は処理待ち状態の場合に、当該ジョブの存在を当該ジョブに関する情報がオペレータにより確認できる状態で報知手段により報知させる制御手段を有することを特徴とする。
【手続補正９】
【補正対象書類名】明細書
【補正対象項目名】００１８
【補正方法】変更
【補正の内容】
【００１８】
また、ジョブ処理システムは、装置の電源をＯＦＦ状態にするための操作がオペレータによりなされた際に、電源の再投入後に装置により処理が実行できない第１タイプのジョブが装置にて処理中及び／又は処理待ち状態の場合に、電源の再投入後に装置により処理可能な第２タイプのジョブに関する情報を報知させずに第１タイプのジョブの存在を当該ジョブに関する情報がオペレータにより確認できる状態で報知手段により報知させる制御手段を有することを特徴とする。
【手続補正１０】
【補正対象書類名】明細書
【補正対象項目名】００１９
【補正方法】変更
【補正の内容】
【００１９】
また、本発明は、ジョブ処理装置により処理されるジョブに係る情報を報知手段により報知させる制御方法として実現できる。ジ制御方法は、装置の電源をＯＦＦ状態にするための操作がオペレータによりなされた際に、装置にて処理中及び／又は処理待ち状態のジョブが存在する場合に、当該ジョブの存在を当該ジョブに関する情報がオペレータにより確認できる状態で報知手段により報知させることを特徴とする。
【手続補正１１】
【補正対象書類名】明細書
【補正対象項目名】００２０
【補正方法】変更
【補正の内容】
【００２０】
また、制御方法は、装置の電源をＯＦＦ状態にするための操作がオペレータによりなされた場合に、装置の電源をＯＦＦ状態にしても記憶手段から処理に必要なデータが消去されないジョブに関する情報を報知させずに、装置にて処理中及び／又は処理待ち状態のジョブの存在を当該ジョブに関する情報がオペレータにより確認できる状態で報知手段により報知させることを特徴とする。
【手続補正１２】
【補正対象書類名】明細書
【補正対象項目名】００２１
【補正方法】変更
【補正の内容】
【００２１】
また、制御方法は、装置の電源をＯＦＦ状態にするための操作がオペレータによりなされた際に、装置の電源がＯＦＦ状態になると記憶手段から処理に必要なデータが消去されるジョブが装置にて処理中及び／又は処理待ち状態の場合に、当該ジョブが存在することを当該ジョブに関する情報がオペレータにより確認できる状態で報知手段により報知させることを特徴とする。
【手続補正１３】
【補正対象書類名】明細書
【補正対象項目名】００２２
【補正方法】変更
【補正の内容】
【００２２】
また、制御方法は、装置の電源をＯＦＦ状態にするための操作がオペレータによりなされた際に、装置の電源がＯＦＦ状態になると記憶手段から処理に必要なデータが消去される第１タイプのジョブが装置にて処理中及び／又は処理待ち状態の場合に、装置の電源がＯＦＦ状態になっても記憶手段にて処理に必要なデータが保持される第２タイプのジョブに関する情報を報知させずに、第１タイプのジョブの存在を当該ジョブに関する情報がオペレータにより確認できる状態で報知手段により報知させることを特徴とする。
【手続補正１４】
【補正対象書類名】明細書
【補正対象項目名】００２３
【補正方法】変更
【補正の内容】
【００２３】
また、制御方法は、装置の電源をＯＦＦ状態にするための操作がオペレータによりなされた際に、電源の再投入後に装置により処理が実行できないジョブが装置にて処理中及び／又は処理待ち状態の場合に、当該ジョブの存在を当該ジョブに関する情報がオペレータにより確認できる状態で報知手段により報知させることを特徴とする。
【手続補正１５】
【補正対象書類名】明細書
【補正対象項目名】００２４
【補正方法】変更
【補正の内容】
【００２４】
また、制御方法は、装置の電源をＯＦＦ状態にするための操作がオペレータによりなされた際に、電源の再投入後に装置により処理が実行できない第１タイプのジョブが装置にて処理中及び／又は処理待ち状態の場合に、電源の再投入後に装置により処理可能な第２タイプのジョブに関する情報を報知させずに第１タイプのジョブの存在を当該ジョブに関する情報がオペレータにより確認できる状態で報知手段により報知させることを特徴とする。
【手続補正１６】
【補正対象書類名】明細書
【補正対象項目名】００２５
【補正方法】変更
【補正の内容】
【００２５】
さらに、本発明は、上述のジョブ処理システムの制御方法を実行するプログラム、及びプログラムを格納した記憶媒体としても実現される。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】変更
【補正の内容】
【００４１】
請求項１記載の本発明によれば、ジョブ処理装置の電源をＯＦＦ状態にするための操作がオペレータによりなされた際に、前記装置にて処理中及び／又は処理待ち状態のジョブが存在する場合に、当該ジョブの存在を当該ジョブに関する情報がオペレータにより確認できる状態で報知手段により報知させることができる。また、請求項２記載の本発明によれば、ジョブ処理装置の電源をＯＦＦ状態にするための操作がオペレータによりなされた場合に、前記装置の電源をＯＦＦ状態にしても記憶手段から処理に必要なデータが消去されないジョブに関する情報を報知させずに、前記装置にて処理中及び／又は処理待ち状態のジョブの存在を当該ジョブに関する情報がオペレータにより確認できる状態で報知手段により報知させることができる。また、請求項３記載の本発明によれば、ジョブ処理装置装置の電源をＯＦＦ状態にするための操作がオペレータによりなされた際に、前記装置の電源がＯＦＦ状態になると記憶手段から処理に必要なデータが消去されるジョブが前記装置にて処理中及び／又は処理待ち状態の場合に、当該ジョブが存在することを当該ジョブに関する情報がオペレータにより確認できる状態で報知手段により報知させることができる。また、請求項４記載の本発明によれば、ジョブ処理装置の電源をＯＦＦ状態にするための操作がオペレータによりなされた際に、前記装置の電源がＯＦＦ状態になると記憶手段から処理に必要なデータが消去される第１タイプのジョブが前記装置にて処理中及び／又は処理待ち状態の場合に、前記装置の電源がＯＦＦ状態になっても前記記憶手段にて処理に必要なデータが保持される第２タイプのジョブに関する情報を報知させずに、前記第1タイプのジョブの存在を当該ジョブに関する情報がオペレータにより確認できる状態で報知手段により報知させることができる。また、請求項５記載の本発明によれば、ジョブ処理装置の電源をＯＦＦ状態にするための操作がオペレータによりなされた際に、前記電源の再投入後に前記装置により処理が実行できないジョブが前記装置にて処理中及び／又は処理待ち状態の場合に、当該ジョブの存在を当該ジョブに関する情報がオペレータにより確認できる状態で報知手段により報知させることができる。また、請求項６の本発明によれば、ジョブ処理装置の電源をＯＦＦ状態にするための操作がオペレータによりなされた際に、前記電源の再投入後に前記装置により処理が実行できない第１タイプのジョブが前記装置にて処理中及び／又は処理待ち状態の場合に、前記電源の再投入後に前記装置により処理可能な第２タイプのジョブに関する情報を報知させずに前記第１タイプのジョブの存在を当該ジョブに関する情報がオペレータにより確認できる状態で報知手段により報知させることができる。
【手続補正３３】
【補正対象書類名】明細書
【補正対象項目名】００４２
【補正方法】変更
【補正の内容】
【００４２】
このように、ジョブ処理装置の電源をＯＦＦ状態にするための操作がオペレータによりなされる場合に、報知手段により報知されるべきジョブの存在をそのジョブに関する情報が確認できる状態でオペレータが容易に認識することが可能となる効果を奏することが出来る。